(57)【要約】      （修正有）【課題】ウインチのドラムを遠隔操作にて正・逆転させることができ、作業者が一人でも木寄せ作業が容易であり、作業能率が向上するアタッチメントを提供する。【解決手段】旋回する本体にブームとアームとを備え前記アームの先端に着脱自在に取付けられる作業機のアタッチメントにおいて、ウインチ３と該ウインチを駆動する駆動用モータ１０とを一体にして設けるとともに、ウインチ３の駆動を遠隔操作するための受信装置と該受信装置に接続され前記ウインチの駆動を制御する制御装置１３とを設けている作業機のアタッチメント１とする。【選択図】図１
0003172077.tif 000002
【実用新案登録請求の範囲】
【請求項１】
旋回する本体にブームとアームとを備え前記アームの先端に着脱自在に取付けられる作業機のアタッチメントにおいて、
ウインチと該ウインチを駆動する駆動用モータとを一体にして設けるとともに、
前記ウインチの駆動を遠隔操作するための受信装置と該受信装置に接続され前記ウインチの駆動を制御する制御装置とを設けていること、
を特徴とする作業機のアタッチメント。
【請求項２】
駆動用モータとウインチのワイヤロープを繰り出し・巻き取るドラムとの間に、当該ドラムの正逆回転を切替えるクラッチと該クラッチを作動させるクラッチ用シリンダーとを設けてあること、
を特徴とする請求項１に記載の作業機のアタッチメント。
【考案の詳細な説明】
【技術分野】
【０００１】
本考案は、主に森林の伐採作業における木材を取り扱う集材機などの作業機に着脱自在に装着されるアタッチメントに関するものである。
【背景技術】
【０００２】
従来、集材機などの作業機においては、足場の悪い山林での木寄せや集材などの作業を効率よく行い、かつ、安全性を確保するために、作業機にウインチを設けるものが知られている。例えば、従来例１に係る特許文献1では、ベースマシンに材木運搬用のウインチが搭載された簡易集材機において、ブームとアームとの連結部を支点とし、そのブームに対して起立する起立状態とブームに沿って格納される格納状態との間で起伏するタワーを有し、このタワーの先端部にウインチからのワイヤをかける滑車を取付けるための滑車取付部を備え、且つ、タワーを起立状態に保持する部材を備えたものである。
【０００３】
また、従来例２に係る特許文献２では、重機のブーム先端に連結する作業アームを、回転駆動ユニットを介して分割した後部アームと前部アームとで構成し、作業アームの前部アーム先端に固定刃フレームと稼動刃フレームからなる作業アタッチメントを取付ける。重機ブームと作業アームの軸方向に沿って係着した複数の滑車に、ワイヤロープを掛け渡し、このワイヤロープをウインチで巻き取る巻き上げ装置を前記ブームに設けるものである。このように、集材機などの作業機において、そのベースマシンやブームなどに、ウインチを設けたものが知られている。
【先行技術文献】
【特許文献】
【０００４】
【特許文献１】特開２００４−３１５２２６号公報
【特許文献２】特開２００４−１８２３９１号公報
【考案の概要】
【考案が解決しようとする課題】
【０００５】
しかし、従来の作業機においては、作業内容に応じてそれに適したアタッチメントを採用している。よって、作業機が木材用集材機などの専用機であればウインチを本体側若しくはブーム側に設けても支障はないが、色々な作業に使われる各種作業機にウインチをそれぞれとりつけるのはコストが嵩むとともに、伐採作業の繁忙期だけ作業機にウインチを取付けるのは油圧配管や電気コントローラなどが必要となるので、それらの取付け作業が煩雑になり手間がかかる。さらに、アタッチメントにウインチを設けても、ウインチを遠隔操作できなければ、一人の作業者が容易に木寄せ作業を行うことができないという課題がある。本考案に係る作業機のアタッチメントは、このような課題を解決するために提案されたものである。
【課題を解決するための手段】
【０００６】
本考案に係る作業機のアタッチメントの上記課題を解決して目的を達成するための要旨は、旋回する本体にブームとアームとを備え前記アームの先端に着脱自在に取付けられる作業機のアタッチメントにおいて、ウインチと該ウインチを駆動する駆動用モータとを一体にして設けるとともに、前記ウインチの駆動を遠隔操作するための受信装置と該受信装置に接続され前記ウインチの駆動を制御する制御装置とを設けていることである。
【０００７】
また、前記駆動用モータとウインチのワイヤロープを繰り出し・巻き取るドラムとの間に、当該ドラムの正逆回転を切替えるクラッチと該クラッチを作動させるクラッチ用シリンダーとを設けてあることを含むものである。
【考案の効果】
【０００８】
本考案にかかる作業機のアタッチメントによれば、集材用のアタッチメントにウインチを取付けておけば、作業機に前記アタッチメントを取付けるだけで、材木の引き寄せや、集材作業に適したウインチ付の作業機となるばかりでなく、遠隔操作が可能なので足場の悪い山林中での作業がやりやすくなり、ウインチのドラムを遠隔操作にて正・逆転させることもできて、作業者が一人でも木寄せ作業が容易であり、作業能率が向上するものである。
【図面の簡単な説明】
【０００９】
【図１】本考案に係る作業機のアタッチメント１を拡大して示す側面図（Ａ）と、その一部正面図（Ｂ）とである。
【図２】同本考案の作業機のアタッチメント１でウインチ３や制御装置などを外した状態の斜視図である。
【図３】他のアタッチメント１ａの場合を示す側面図（Ａ）と、斜視図（Ｂ）とである。
【図４】同じく他のアタッチメント１ｂの場合を示す側面図（Ｂ）である。
【考案を実施するための形態】
【００１０】
本考案に係る作業機のアタッチメント１は、図１に示すように、クローラ付基台に対して旋回する作業機本体にブームとアーム２とを備え、前記アーム２の先端に着脱自在に取付けられる作業機のアタッチメント１において、遠隔操作可能な木寄せ用のウインチ３を設けたことにある。
【実施例】
【００１１】
本考案に係る作業機のアタッチメント１は、図１（Ａ），（Ｂ）に示すように、作業機本体の旋回部から設けられるブームの先のアーム２とリンク４との先端側に着脱自在に取付けられるアタッチメント１がある。前記リンク４はアーム２側の油圧シリンダーのロッド５の伸張によって駆動される。
【００１２】
前記アタッチメント１は、前記アーム２とリンク４とに連結ピン穴６ａを介して装着される装着用筐体部６と、一対の作業爪７と該作業爪７を回動自在に保持して取付け軸心周りに回転する回転部８となる把持部９とで構成されている。
【００１３】
そして、前記装着用筐体部６には、前記ウインチ３におけるワイヤロープ１１ａを巻き取るドラム１１と、該ドラム１１を駆動する駆動用モータ（油圧モータ、以下同じ）１０とが一体にして設けられている。また、図１（Ｂ）に示すように、前記ウインチ３の駆動を遠隔操作するための受信装置（図示せず）と該受信装置に接続され前記ウインチ３の駆動を制御するコントローラ（図示せず）と、これらに駆動電源を供給する電源用バッテリー（図示せず）とが備えられてなる制御装置１３が設けられている。なお、符号６ｂはワイヤロープ１１ａ用の滑車を示している。
【００１４】
更に、前記駆動用モータ１０とウインチ３のワイヤロープ１１ａを滑車６ｂから前方へ繰り出し・前方から逆方向に巻き取るドラム１１との間に、当該ドラム１１の正・逆回転を切替えるクラッチ１２ａと該クラッチ１２ａを作動させるクラッチ用シリンダー１２とを設けてある。このクラッチ用シリンダー１２の駆動操作は、前記制御装置１３によるクラッチ用電磁弁の開閉操作によって行われる。
【００１５】
このように構成されるアタッチメント１により、作業機の本体側やブーム・アーム側にはウインチ３を装備する必要がなくなる。よって、作業機は集材機専用である必要がない。このアタッチメント１を使用するには、集材機として使用する各種作業機のアーム先端部に当該アタッチメント１を装着し、前記油圧モータ１０に前記作業機側からの油圧ホースを１系統接続することで、前記油圧モータ１０とクラッチ用シリンダー１２との駆動が可能となり、前記制御装置１３におけるコントローラで油圧駆動用の電磁弁が開閉される。
【００１６】
前記アタッチメント１を作業者の手元にある無線コントローラから前記制御装置１３に対して制御信号を発信して遠隔操作すれば、ウインチ３のドラム１１をゆっくりと回転させてそこからワイヤロープ１１ａを前方に引き出し、前記作業者がワイヤロープ１１ａの先端のフックを集材した木材に繋着させて、前記手元のコントローラでドラム１１の回転を逆転させてワイヤロープ１１ａを巻き取り、前記木材を遠隔操作で引き寄せることができる。
【００１７】
上述のように、足場の悪い山林中では、一人の作業者がフックを掛けたり集材機の運転席に戻ってウインチ操作したりと、従来では一人の作業者が行うと負担の多い作業であるが、本発明に係るアタッチメント１を使えば、ウインチ３の遠隔操作が可能なので、木材の引き寄せ作業などを一人の作業者で容易に行うことができる。
【００１８】
前記アタッチメント１は、図１（Ａ），（Ｂ）に示す木材用グラップルに限らず、他の実施例として、図３（Ａ），（Ｂ）に示すように、バケットを有するログポックル９ａのタイプのアタッチメント１ａや、図４に示すように、スーパーピラニアタイプ９ｂのアタッチメント１ｂ（名称は、いずれもオノデラ製作所株式会社による）などにも、適宜適用できるものである。
【産業上の利用可能性】
【００１９】
本考案に係る作業機のアタッチメント１〜１ｂは、集材の木寄せ作業などに限らず、家屋や土台などの引き寄せ作業にも適用できるものである。
【符号の説明】
【００２０】
１，１ａ，１ｂ                  作業機のアタッチメント、
２          アーム、
３          ウインチ、
４          リンク、
５          ロッド、  
６          装着用筐体部、                ６ａ          連結ピン穴、
６ｂ        滑車、
７          作業爪、
８          回転部、
９          把持部、
１０        駆動用モータ（油圧モータ）、                                      
１１        ドラム、                      １１ａ        ワイヤロープ、
１２        クラッチ用シリンダー、          １２ａ        クラッチ、  
１３        制御装置。
【図１】
0003172077.tif 000003
【図２】
0003172077.tif 000004
【図３】
0003172077.tif 000005
【図４】
0003172077.tif 000006